(57)【要約】【課題】揮散体に供給される芳香液の状態を識別可能にしつつ、装飾性に優れた揮散器を提供する。【解決手段】本発明の揮散器は、内部に香料及び色素を保持し、香料に含まれる揮散成分を揮散させる揮散器であって、香料及び色素のうち少なくとも一方を溶媒に溶解させてなる溶液を収容する容器と、溶液に予め又は用事に浸漬された吸液部材と、吸液部材に一体又は別体として取り付けられ、少なくとも一部が容器の外部に露呈した揮散体とを備え、吸液部材及び揮散体によって調整されつつ供給された溶媒を揮発させることで、揮散体に模様が付与される。【選択図】      図１
2004329794.tif 000002
【特許請求の範囲】
【請求項１】
内部に香料及び色素を保持し、前記香料に含まれる揮散成分を揮散させる揮散器であって、前記香料及び前記色素のうち少なくとも一方を溶媒に溶解させてなる溶液を収容する容器と、前記溶液に予め又は用事に浸漬された吸液部材と、前記吸液部材に一体又は別体として取り付けられ、少なくとも一部が前記容器の外部に露呈した揮散体とを備え、前記吸液部材及び前記揮散体によって調整されつつ供給された前記溶媒を揮発させることで、前記揮散体に模様が付与されることを特徴とする揮散器。
【請求項２】
前記揮散体の少なくとも一部は花型の形状を有することを特徴とする請求項１に記載の揮散器。
【請求項３】
内部に香料及び色素を保持し、前記香料に含まれる揮散成分を揮散させる揮散器であって、前記香料及び前記色素のうち少なくとも一方を溶媒に溶解させてなる溶液を収容する容器と、前記溶液に予め又は用事に浸漬された吸液部材と、前記吸液部材に一体又は別体として取り付けられ、少なくとも一部が前記容器の外部に露呈した揮散体とを備え、前記吸液部材及び前記揮散体によって調整されつつ供給された前記溶媒を揮発させることで、前記揮散体に時間の経過に伴い変化する模様が付与されることを特徴とする揮散器。
【請求項４】
前記揮散体の少なくとも一部は花型の形状を有することを特徴とする請求項３に記載の揮散器。
【請求項５】
前記吸液部材と前記揮散体が別体であり、前記揮散体からの前記吸液部材の抜けを防止するために前記吸液部材の上部外周面に設けられた抜け止め部材を更に備えていることを特徴とする請求項１〜請求項４のいずれか一つに記載の揮散器。
【発明の詳細な説明】
【０００１】
【発明の属する技術分野】
本発明は、揮散器に関し、特に、供給される芳香液に応じて色彩や模様が付与される揮散体を有する揮散器に関する。また、揮散体が特定の形状を有する揮散器に関する。
【０００２】
【従来の技術】
従来、吸液部材と揮散体を有し、芳香液を揮散させる揮散器（芳香液揮散型の揮散器）が知られている。このような揮散器としては、造花形状を有する揮散器（少なくとも一部が花を模して形成されている揮散器）が知られており、例えば、内部に花の揮散成分を揮散するカートリッジが埋め込まれた揮散器や、揮散体が花弁の形状を有している揮散器が提案されている。
【０００３】
【発明が解決しようとする課題】
しかし、上記のような従来の揮散器は、単に揮散成分を揮散させるだけのものであって、模様などの装飾を変化させるものではなかった。また、揮散体が花弁の形状を有している揮散器は、単に形状が花型であり、模った花の種類に応じた所定の花の揮散成分を揮散させる部材を備えているにとどまるものであった。
つまり、従来の揮散器における花を模った揮散器は、色彩や模様が時間の経過に伴い変化することがなく、使用開始後、使用者が見飽きてしまい、装飾性の点で改善の余地があった。
また、時間の経過に伴い、香料を含む結晶を基材における所定の端部に析出させることで揮散成分を揮散させる構造によって植物を模った装飾体も提案されている。しかし、通常、結晶の析出は、使用者には静的な変化として捉えられるため視覚を刺激するには不十分であり、この点では装飾性に更なる改善の余地があった。
さらに、これら従来の花を模った揮散器は、使用開始時に芳香液が揮散体に供給されているか確認することが困難であるという点でも改善の余地があった。
本発明は、上記事情に鑑みてなされたもので、その目的は、揮散体に供給される芳香液の状態を識別可能にしつつ、装飾性に優れた揮散器を提供することにある。
【０００４】
【課題を解決するための手段】
本発明の上記目的は、内部に香料及び色素を保持し、前記香料に含まれる揮散成分を揮散させる揮散器であって、前記香料及び前記色素のうち少なくとも一方を溶媒に溶解させてなる溶液を収容する容器と、前記溶液に予め又は用事に浸漬された吸液部材と、前記吸液部材に一体又は別体として取り付けられ、少なくとも一部が前記容器の外部に露呈した揮散体とを備え、前記吸液部材及び前記揮散体によって調整されつつ供給された前記溶媒を揮発させることで、前記揮散体に模様が付与されることを特徴とする揮散器によって達成される。
【０００５】
上記構成の揮散器によれば、吸液部材から揮散体に溶液が供給されることで、それに伴い揮散体の色彩や模様が変化する。このため、揮散器の揮散状態を視覚として捉えることができるだけでなく、屋内の所定の位置に設置して鑑賞するといった観点からも装飾性を向上させることができる。
また、揮散成分を含む結晶を析出させる従来の揮散器などに比して、使用者がより短い時間で装飾の変化を認識して楽しむことが可能で、視覚として十分な刺激があり、鑑賞する者が飽きてしまうことを抑制することができる。
【０００６】
また、本発明の上記目的は、内部に香料及び色素を保持し、前記香料に含まれる揮散成分を揮散させる揮散器であって、前記香料及び前記色素のうち少なくとも一方を溶媒に溶解させてなる溶液を収容する容器と、前記溶液に予め又は用事に浸漬された吸液部材と、前記吸液部材に一体又は別体として取り付けられ、少なくとも一部が前記容器の外部に露呈した揮散体とを備え、前記吸液部材及び前記揮散体によって調整されつつ供給された前記溶媒を揮発させることで、前記揮散体に時間の経過に伴い変化する模様が付与されることを特徴とする揮散器によって達成される。
このような構成を有する揮散器とすれば、上記の揮散器と同様の効果を奏するだけでなく、使用者は時間の経過に伴う揮散体の色や模様の変化を楽しむことができるため、より一層装飾性が向上する。
【０００７】
上記構成の揮散器において、揮散体の少なくとも一部は花型の形状を有する構造とすれば、揮散体に芳香液が供給された際に、あたかも実際の花が色づくように見えるため、より一層装飾性が向上する。
【０００８】
また、上記構成の揮散器において、吸液部材と揮散体を別体とした場合は、揮散体からの吸液部材の抜けを防止するために吸液部材の上部外周面に抜け止め部材を設けることが望ましい。
【０００９】
ここで、内部とは、揮散器を構成するいずれかの部材及びその部位を含む意である。例えば、溶液、吸液部材、揮散体、容器、及びこれらに付属する部材の全体又は一部分である。
花型とは、花の全体及び一部分に相当する形状のいずれでもよく、花弁、萼（がく）、おしべ、めしべ、葉、茎、根等の花を構成するものの一部又はこれら任意に組み合わせたもの又は全てを含む。
【００１０】
揮散体は、その材質として、上記の溶液を保持でき、且つ、溶液中の有効成分（揮散成分）を揮散させることができるものであればいずれのものでも使用でき、具体的には、樹脂、パルプ等の有機材料やガラス等の無機材料の多孔性材料を用いることができる。揮散体の材質として、例えば、紙、布である。紙としては、例えば、濾紙、クレープペーパ、書道用紙、和紙、洋紙、特殊紙（すいとり紙等）を用いることができる。布としては、例えば、ポリエステル、綿、アクリルを用いることができる。また、揮散体が複数の材質からなっていてもよい。揮散体の複数の材質としては、例えば、合成繊維、ポリエステル、ナイロン、アセトン等の単品またはこれらを複合したものである。
また、揮散体や吸液部材に予め所定量の溶液を保持させておくことで、使用開始と同時に、保持された溶液中の有効成分が揮散する効果を得られるようにしてもよい。
揮散体の厚みは０．０５ｍｍ〜３ｍｍとすることが好ましい。また、揮散体の厚みはこの範囲内において、できるだけ厚くすることが好ましい。揮散体の厚みを厚くすると揮散体の体積が大きくなる。すると、同じ濃度の活性剤を用いた場合には、厚みが厚い揮散体は、厚みが薄い揮散体に比して単位体積中に含有される活性剤の量が少なくなる。このため、活性剤が揮散体中に密に集まることによって目詰まりが生じることを防止することができ、揮散速度をより一定にすることができる。
揮散体の形状は、例えば、縦を１０ｍｍ〜５００ｍｍ、横を１０ｍｍ〜５００ｍｍとする正方形または長方形、またはそれに見合った面積の楕円形のもの、円形のもの、多角形のもの等を、適宜に折り縮め、または複数の揮散体を重ね合わせて形成される、動物、植物、球体、立方体等、任意のものである。
揮散体の容器の外部に露呈する部分の表面積（以下、総揮散面積ともいう）は、１０ｃｍ２〜２０００ｃｍ２とすることが好ましい。
揮散体の重量は、２０ｇ／ｍ２〜１２００ｇ／ｍ２とすることが好ましい。
【００１１】
吸液部材の材質としては、無機材料、有機材料のいずれでも用いることができる。好ましくは樹脂であり、具体的にはポリエチレンテレフタレート（以下、ＰＥＴともいう）、アクリル樹脂（以下、ＰＡともいう）、ポリプロピレン、ポリエチレンの１種あるいは２種以上を挙げることができ、例えば、ポリプロピレン・ポリエチレンの複合繊維、ポリエステル、ポリアクリルである。
【００１２】
揮散成分としては、例えば、芳香剤、消臭剤、忌避剤、医薬品、化粧品、或いは殺虫剤、殺菌剤、殺ダニ剤等の薬剤（薬液）が使用される。
【００１３】
溶媒としては水性、油性のいずれでもよく、例えば、脱イオン水、アイソパーＨ（エクソンモービル、第４類第２石油類、一号灯油）、エタノールと水との混媒である。溶媒の沸点は１００℃〜２００℃の範囲とすることが好ましい。
【００１４】
本発明に用いることができる香料としては、水性、油性のいずれでもよく、例えば、ハッカ油、ペパーミント油、スペアミント油、イグサ、ヒノキ、シトロネラ、シトラール、シトロネラール、レモン、レモングラス、オレンジ、ユーカリ、ラベンダー等の製油成分及びそれから得られる芳香成分を有するものをあげることができる。
【００１５】
色素は、水性、油性のいずれでもよく、不揮発性で溶媒に溶けるものであればよい。色素としては、例えば、合成色素（赤色１０２号、赤色２２５号、青色１号、黄色４号等）である。
容器は、例えば、ポリプロピレン、ポリエチレン、ポリエチレンテレフタレート、ガラス、陶器である。
【００１６】
【発明の実施の形態】
以下、本発明の実施の形態を詳細に説明する。
図１は、本発明にかかる揮散器の第１の実施の形態を示す全体斜視図である。図２は、図１に示す揮散器の断面図である。
図１に示す揮散器１０は、内部に有効成分を含有する溶液２を収納した容器１と、溶液２に浸漬された吸液部材３と、この吸液部材３に取り付けられた揮散体４とを備えている。
【００１７】
図２に示すように、容器１は中空の円筒状に形成され、上方に開口部が設けられている。開口部には、長尺の円柱状に形成された吸液部材３が嵌挿されている。吸液部材３は、一方の端部が溶液２に浸漬され、容器１の内部底面に接近又は接触した状態で配され（本図においては接触した状態）、他方の端部が開口部から容器１の外部に露呈した状態で配されている。
【００１８】
図１に示すように、揮散体４は、円形の濾紙を適当に湾曲させることで略花弁状に形成された部材（以下、花弁部５）を複数集めた集合体で構成されている。それぞれの花弁部５は、図２に示すように、吸液部材３の外部に露呈した側の端部の外周面に接触するように取り付けられている。そして、それぞれの花弁部５は揮散器１０の上面視（図１に向かって上側から見た場合）において、吸液部材３を中心とし、その中心から外周側へ花弁部５の先端（吸液部材３に取り付けられた側とは反対側の縁部）を向けた花を模るように配されている。
なお、揮散体４は、その材質として、クレープペーパ、書道用紙、布、合成繊維、不織布等を用いてもよい。
【００１９】
溶液は香料及び色素を含む。本実施の形態としては、溶液の全容量を１３０ｍｌとし、香料は合成（フローラル）香料（２重量％）を用いた（油性香料を用いてもよい。）。また、色素は水溶性色素の赤色１０２号（０．００１重量％）を用いた。溶液に、これら香料と色素を溶媒である脱イオン水に溶解させ、２．５重量％の活性剤（ポリオキシエチレンラウリルエーテル（非イオンエーテル型）とスルホコハク酸ジオクチルナトリウム（アニオン）との混合物（例えば、マーポンＳＧ２００  松本油脂製薬株式会社製））を加えている。ここで、活性剤としては、ポリオキシエチレン硬化ヒマシ油（例えば、アクチノールＨＣ−４０ＡやアクチノールＨＣ−６０Ａ  松本油脂製薬株式会社製）を用いてもよい。
【００２０】
本実施の形態の揮散体は、重量を９１ｇ／ｍ２とし、総揮散面積を３３７ｃｍ２とした。
また、吸液部材は、材質がポリプロピレン・ポリエチレン複合繊維で、芯径をφ１３ｍｍとし、長さを１０ｃｍとし、気孔率を７７％とした。
【００２１】
吸液部材３は、揮散体４に供給する溶液２の量を調整可能で、揮散体４は、供給された溶液２によって着香及び着色した箇所が模様として識別可能であるように構成されている。
つまり、図１に示すように、容器１に収納された溶液２は吸液部材３に吸収され、吸液部材３と揮散体４が接触する箇所を介して揮散体４に供給される。揮散体４において、供給された溶液２に含まれる、不揮発性の色素を除く、溶媒、香料が揮発する。すると、揮散体４における、色素が残留した箇所（以下、着色部５ａともいう）が色づく。言い換えれば、着色部５ａからは香料が揮散されていると捉えることができる。このため、揮散体４に基づいて揮散器１０における揮散成分（芳香成分）の揮散状態を確認することができる。
【００２２】
本実施の形態において、図１に示すように、揮散体４の色づく箇所は、花弁部５の先端から濃く着色し、使用開始から所定時間（９０分）経過後には花弁部５の全体が着色される。言い換えれば、着色部５ａの形状（模様）は、揮散体４に供給される溶液２の量に応じて流動的に面積が変化し、また、時間の経過によって大きくなる。
【００２３】
揮散体（花弁部）に付与される模様は、揮散体の吸液性と溶媒の揮発性とによって、形状及び形状の変化が決定される。
溶液が揮散体に吸収されて花弁部の先端に行き届く前に、溶媒が揮発してしまうと溶液に含まれる色素が花弁部の先端まで達することがない。このとき、花弁部の先端で濃い着色を付与することができない。
言い換えれば、溶媒の揮発する速度が速すぎる場合、揮散体の吸液する速度を上回り、色素が先端に行き届く前に溶媒が揮発してしまい、花弁部の途中で着色を付与することとなる。
一方、溶液が揮散するよりも先に花弁部の先端に達するまで吸液されると、色素は花弁部の先端に十分な量だけ供給されるため、花弁部の先端で濃い着色が付与されることとなる。つまり、色素は不揮発性であり、溶媒が揮発するまで溶媒とともに吸液部材及び揮散体の内部を移動する。従って、吸液の速度と揮発の速度とを適宜調整することで、揮散体に付与される模様を決定することができる。
【００２４】
溶媒は、蒸気圧又は沸点における揮発性に基づいて材料を選択することで、揮発する速度を調整してもよい。
吸液部材及び揮散体は、溶液に浸漬し、吸液の速度を予め測定して材料を選択してもよい。また、吸液部材については、その長さや径等の寸法、材質、気孔率等に基づいて吸液する速度を調整してもよい。
【００２５】
本実施の形態の揮散器によれば、供給された溶液が揮散し、残留する色素によって揮散体の模様が変化する。使用者は、模様の変化から揮散器の揮散成分の揮散状態を確認することができるとともに、揮散器の装飾を視覚で楽しむことができる。
【００２６】
なお、本実施の形態において、色素を予め揮散体に含ませておくようにしてもよい。または、色素を溶液と揮散体との両方に予め含ませておくようにしてもよい。
【００２７】
次に、図３、４に基づいて、本発明にかかる第２の実施の形態を説明する。
図３は、本発明にかかる揮散器の第２の実施の形態を示す全体斜視図である。図４は、図３に示す揮散器の断面図である。以下に説明する実施の形態及び実施例において、すでに説明した部材などと同等な構成・作用を有する部材等については、図中に同一符号又は相当符号を付すことにより、説明を簡略化或いは省略する。
図３に示す揮散器２０は、内部に有効成分を含有する溶液１２を収納した容器１１と、溶液１２に浸漬された吸液部材１３と、この吸液部材１３に一体形成された揮散部１４とを備えている。図３に示す、１５は、花弁を模った花弁部である。
【００２８】
図４に示すように、容器１１は、中空の略球体状に形成され、内部に溶液１２が収納されている。容器１１の上方には、開口部が形成され、この開口部には超尺状の吸液部材１３が挿通されている。吸液部材１３は、一方の端部が容器１１の内部に配され溶液１２に浸漬され、他方の端部が開口部から容器外部に導出されている。吸液部材１３の容器外部に位置する端部は、複数本（本実施の形態においては６本）に分岐されて、分岐する箇所近傍の外周面には花弁部１５が取り付けられている。吸液部材１３の分岐した部分は、揮散器２０として組み立てられた状態で、花のおしべを模るように形成されている。
【００２９】
本実施の形態において、溶液１２、吸液部材１３は既に説明したものを用いることができる。本実施の形態において、溶液には、第１の実施の形態と同様に予め香料及び色素が含浸されている。また、花弁部１５は、溶液１２を吸収しない部材で構成されている。
【００３０】
揮散器２０において、吸液部材と揮散体が一体に形成されている。つまり、容器１１に収納された溶液１２は、吸液部材１３から吸収され、上方に吸い上げられ、揮散部１４に到達し、揮散する。
言い換えれば、揮散器２０は、溶液が供給されない花弁部１５からは揮散（芳香）成分が揮散されず、おしべを模った揮散部１４からのみ揮散成分が揮散するように構成されている。つまり、揮散部１４が揮散体として機能している。なお、図示しないが、めしべ、がくを模った揮散部を吸液部材に取り付けた状態で設け、これら揮散部からも揮散成分を揮散させる構造としてもよい。
【００３１】
吸液部材１３の揮散部１４において、供給された溶液１２が揮散することで不揮発性の色素が残留し、この色素によって揮散部１４が濃く着色する。
【００３２】
本実施の形態の揮散器によれば、揮散部に吸液部材本体を介して溶液が供給されて着香及び着色する。そして、揮散部は香料が揮散して色素が残留することで色づき、あたかも花のおしべに着色したような状態になる。このため、使用者は、揮散器の芳香状態を確認することができるとともに、装飾を楽しむことができる。
【００３３】
次に、図５、６に基づいて、本発明にかかる第３の実施の形態を説明する。
図５は、本発明にかかる揮散器の第３の実施の形態を示す全体斜視図である。図６は、図５に示す揮散器の断面図である。以下に説明する実施の形態及び実施例において、すでに説明した部材などと同等な構成・作用を有する部材等については、図中に同一符号又は相当符号を付すことにより、説明を簡略化或いは省略する。
図５に示す揮散器３０は、内部に有効成分を含有する溶液２２を収納した容器２１と、溶液２２に浸漬された吸液部材２３と、この吸液部材２３に取り付けられた揮散体２４と、を備えている。図６に示す２６は、萼（がく）を模った萼部であり、後述するように押え部材として機能するものである。
【００３４】
図６に示すように、容器２１は中空の円筒状に形成され、内部に溶液２２が収納されている。容器２１の上部の開口部には、長尺の円柱状に形成された吸液部材２３が嵌挿されている。吸液部材２３は、一方の端部（下端部）が溶液２２に浸漬され且つ容器２１の内部底面に接近又は接触した状態（本図においては接触した状態）で配され、そして他方の端部（上端部）が容器２１の開口部から容器２１の外部に露呈した状態で配されている。
【００３５】
揮散体２４は、図６に示されるように、略花弁形の化学合成繊維布を適当に湾曲させることで形成された部材（以下、花弁部２５）と隣接する花弁部２５間に配置される保形部材２７とをそれぞれ複数集めた集合体に前述の萼部２６を設けて構成されている。花弁部２５、保形部材２７、および萼部２６は、図６に示すように、吸液部材２３の外部に露呈した側の端部の外周面に接触するように取り付けられている。それぞれの花弁部２５は揮散器３０の上面視（図５に向かって上側から見た場合）において、吸液部材２３を中心とし、その中心から外周側へ花弁部２５の先端（吸液部材２３に取り付けられた側とは反対側の縁部）を向けて花を模るように配されている。隣接する花弁部２５と花弁部２５との間には、前述したように、保形部材２７が設けられているので、花弁部２５同士が重なり合うことが防止され、揮散効果が落ちないようになっている。
【００３６】
本実施の形態において、容器２１および溶液２２は既に説明したものを用いることができる。また、本実施の形態において、溶液２２は、第１および第２の実施の形態と同様に予め香料及び色素を含有している。また、本実施の形態において、萼部２６および保形部材２７は、溶液２２を吸収しない部材で構成されているが、花弁部２５と同様に溶液２２を吸収および揮散する部材で構成してもよい。
【００３７】
揮散器３０において、吸液部材２３と揮散体２４は別体で形成されており、吸液部材２３は揮散体２４中央の挿通孔に挿入保持されることにより揮散体２４に取り付けられる。吸液部材２３の上端部外周面には、揮散体２４からの吸液部材２３の抜け（即ち、下方への抜け）を防止するために、環状の抜け止め部材２８が設けられている。環状の抜け止め部材２８の材質は、吸液部材２３の吸液作用に影響を与えない限り任意であるが、例えば、接着剤、溶融したホットメルト材、等を吸液部材２３の上端部外周面に沿ってリング状となるように連続的に塗布して硬化させたものであってもよいし、例えば、接着剤、溶融したホットメルト材、等を吸液部材２３の上端部外周面に沿って断続的に環状に塗布して硬化させたものであってもよい。このように抜け止め部材２８を吸液部材２３の上端部外周面に設けても吸液部材２３の上端面が露出されているので、吸液作用に影響はなく、スムーズに揮散体２４に溶液２２を移行させることができる。尚、抜け止め部材２８が配置される箇所は、吸液部材２３の上端面と複数の花弁部２５のうち最上位置のものとの間であれば、吸液部材２３の上部における外周面上のどの箇所であってもよい。また、吸液部材２３が挿通される萼部２６中央の挿通孔の寸法は吸液部材２３の横断面寸法よりも小さく設定されているので、萼部２６は、吸液部材２３を揮散体２４に保持する（換言すれば、吸液部材２３を揮散体２４から抜け難くするように吸液部材２３を押圧する）押え部材としての機能を有している。従って、萼部２６と抜け止め部材２８とが協働し、これらの相乗効果によって、吸液部材２３の揮散体２４からの抜けが確実に防止される。更に、萼部２６と抜け止め部材２８とが協働して複数の花弁部２５および保形部材２７を挟持するので、揮散体２４全体の形状を安定化させることができる。
【００３８】
尚、本実施の形態に関する他の作用ならびに効果については、第１および第２の実施の形態の説明から容易に類推可能であるため、説明を省略する。
【００３９】
ところで、揮散体の着色の状態、つまり、模様の形状については上記のものに限られず、あらゆるパターンを考えることができる。具体例として、花型の揮散体を用いた場合に考えられる、主な３つのパターンを図７（ａ）〜図７（ｃ）に示す。
図７（ａ）〜図７（ｃ）に示すように、３つのパターンはタイプＡ、タイプＢ、タイプＣからなり、それぞれ時間経過に伴い、花型の揮散体４Ａ、４Ｂ、４Ｃにおいて、それぞれ着色される箇所（模様）が異なる。なお、揮散体４Ａ、４Ｂ、４Ｃはいずれも、図示しない吸液部材が中心Ｏを通るように、図面に向かって垂直に配され、この吸液部材から溶液が供給される構造を有する。
【００４０】
タイプＡで示す揮散体４Ａは、図７（ａ）で示すように、使用開始とともに中心Ｏに位置する吸液部材から溶液が揮散体４Ａに供給され、中心Ｏ近傍から徐々に色づき、そして全体が均一に薄く着色される。さらに時間の経過に伴い、揮散体４Ａの周縁部に沿って着色が濃くなり、最終的には（所定時間経過後）、揮散体全体が均一に濃く着色した状態になる。
【００４１】
タイプＢで示す揮散体４Ｂは、図７（ｂ）で示すように、使用開始とともに中心Ｏに位置する吸液部材から溶液が揮散体４Ｂに供給され、タイプＡと同様に中心Ｏ近傍から徐々に色づく。しかし、時間の経過に伴い、中心Ｏ近傍の着色がそのまま濃くなり、最終的には、周縁部に着色が行き届かず、中心Ｏ近傍のみが濃く着色された状態になる。
【００４２】
タイプＣで示す揮散体４Ｃは、図７（ｃ）で示すように、使用開始とともに中心Ｏに位置する吸液部材から溶液が揮散体４Ｃに供給され、中心Ｏ近傍から徐々に色づく点ではタイプＡ及びＢと同じである。しかし、時間の経過に伴い、揮散体４Ｃ全体が均一に薄く着色され、時間の経過とともに、揮散体４Ｃの周縁部に沿って着色が濃くなるが、最終的に、揮散体４Ｃ全体が濃く着色されることはなく、周縁部のみが濃く着色された状態になる。
【００４３】
【実施例】
下記の表１に示す実施例１から５の揮散器のように揮散体、吸液部材及び溶液を設定した場合において、実際にこれらの揮散器を使用する試験を行い、揮散量、揮散体の着色の状態、芳香の状態等を調べた。
【００４４】
【表１】
2004329794.tif 000003
【００４５】
表１に示すように、実施例１及び２は、図１に示す第１の実施の形態の揮散器と同様の構造を有している。ただし、実施例１では溶媒としては脱イオン水が用いられているが、実施例２では溶媒としてアイソパーＨを用いた。また、実施例１の色素としては赤色１０２号が用いられたが、実施例２の色素としては、油溶性色素である赤色２２５号が用いられている。その他の特に説明しない部材（例えば、容器）はすべて同一のものを用いた。また、実施例１から５はそれぞれ、溶液の全容量を１３０ｍｌとした。
なお、着色方法について、実施例１から４は、溶液に色素を溶解させる方法とした。また、実施例５は、吸液部材に溶解させた色素を予め注入させる方法とした。溶液における香料濃度及び活性剤濃度はともに同じとした。また、香料としては、実施例１、３及び４は合成（フローラル）香料を使用し、実施例２は油性香料を使用している。
本試験において、着色状態について、揮散体の色の変化がはっきりと認識できるものを良好であるとした。
試験結果としては、初期における揮散量（使用開始から１日までの揮散量とする。）は実施例１が２４．０ｇ、実施例２が９．７ｇと問題なく、芳香状態も良好で、かつ、花を模った揮散体に型崩れなどの問題が見受けられなかった。
【００４６】
実施例３は、図８に示すような、揮散体が３本の花を束ねたブーケ状の花を模った形態を有しており、揮散体の種類としてはクレープペーパが用いられている。ここで、ブーケ状の花とは、図８に示すように複数の花が集まった形状を意味する。
実施例３の吸液部材の材質はポリエステルで、芯径をφ２ｍｍとし、長さを１０ｃｍとした。なお、この吸液部材の気孔率を６６％とした。
実施例３の溶液は、実施例１のものと同じとした。
実施例３の試験結果としては、初期の揮散量が２４．４ｇ／日であった。着色の状態は、図７（ｂ）に示すタイプＢのパターンで、最終的に、吸液部材近傍のみ濃く着色した状態になった。また、芳香状態は良好で、揮散体の形態も型崩れすることなく保持されていた。
【００４７】
実施例４は、実施例３と同様に揮散体の形態をブーケ状の花とした。揮散体の種類を書道用紙とし、重量２４ｇ／ｍ２、総揮散面積を５４０ｃｍ２とした。
実施例４の吸液部材及び溶液は実施例３のものと同じとした。
実施例４の試験結果としては、初期の揮散量が２５．４ｇ／日で、揮散体の着色の状態は図７（ａ）に示すタイプＡの状態となった。また、芳香状態は良好で、揮散体の形態も型崩れすることなく保持されていた。
【００４８】
実施例５の揮散体の形態は、図９に示すようなマーガレット状の花を模った形態とした。ここで、マーガレット状の花とは、同形状の揮散体（花弁）を上下に重ね合わせた形状を意味する。実施例５の揮散体の種類は濾紙で重量を９１ｇ／ｍ２とした。またこの揮散体の総揮散面積を１１１ｃｍ２とした。
実施例５の吸液部材の材質はポリエステルで、芯径をφ３ｍｍとし、長さを１０ｃｍとし、気孔率を６０％とした。
実施例５の溶液は、溶媒を脱イオン水とし、色素として赤色１０２号、黄色４号及び青色１号を用いて、色素濃度を０．００１％とした。
本実施例の揮散器７０においては、濃度の高い色水（色素）を吸液芯（吸液部材）７３の中間部７５に予め含浸させている。そして、吸液芯７３から吸液される無色の溶液７２と中間部７５に蓄えられた色水とが混合し、着色した溶液となって時間の経過に伴って揮散体７４に移動する。揮散体７４は、花弁を環状に配した花型に模られており、着色した溶液が供給されることによって、あたかも、花が色づくように変化する。
実施例５の試験結果としては、初期の揮散量が１７．６ｇ／日で、揮散体の着色の状態は図７（ｃ）に示すタイプＣの状態となった。また、芳香状態は良好で、揮散体の形態も型崩れすることなく保持されていた。
ここで、花型を模った複数の揮散体（図９においては３個とした。）にそれぞれ異なる色水が含浸された吸液芯を取り付けて、同じように溶液に浸漬させれば、揮散体はそれぞれ異なる色に着色する。つまり、揮散器は色の異なる花が咲いたような外観を有する。
【００４９】
上記の試験から、揮散体、吸液部材及び溶液の所定値を適宜に設定することで、揮散器の芳香状態を良好に維持しつつ、揮散体の着色の状態を変化させることができることがわかった。
【００５０】
また、下記表２に示す実施例６から８の揮散器のように揮散体、吸液部材及び溶液を設定した場合において、実際にこれらの揮散器を使用する試験を行い、揮散量、揮散体の着色の状態、芳香の状態等を調べた。
【００５１】
【表２】
2004329794.tif 000004
【００５２】
表２に示すように、実施例６、７及び８は、図１に示す第１の実施の形態の揮散器と同様の構造を有している。また、実施例６、７及び８は、溶媒として脱イオン水が用いられ、色素としては水溶性色素である赤色１０２号が用いられ、着色方法としては、溶液に色素を溶解させる方法とした。
実施例６、７及び８において、それぞれの溶液の全容量は１３０ｍｌとした。また、実施例６、７及び８において、活性剤濃度を０．５％とし、溶液の蒸発を抑制するためアルコールを３０％加えた。
本試験において、着色状態について、揮散体の色の変化がはっきりと認識できるものを良好であるとした。
【００５３】
試験結果としては、初期における揮散量は実施例６が１６．１ｇであり、実施例７が２０．１ｇであり、実施例８が３０．８ｇであり、いずれも問題がなかった。また、実施例６、７及び８は、芳香状態も良好で、かつ、花を模った揮散体に型崩れなどの問題が見受けられなかった。
【００５４】
なお、本発明は、前述した実施の形態に限定されるものではなく、適宜な変形、改良などが可能である。
例えば、花を模った揮散体に針金やばね等の弾性部材で開閉する構成とすることができる。このような構成を有する揮散器の一例を図１０（ａ）、１０（ｂ）に示す。図１０（ａ）に示すように、揮散器８０は、複数（本図においては３個）の揮散体８４を、それぞれ複数回重ね折りした上で、それらを互いに束ね合わせたものの周囲に弾性体（らせん状のばね）８６をはめ込むことで揮散体８４が広がってしまうことを防止する構造を有している。こうすれば、揮散器を梱包する際に揮散体を閉じた状態にすることができるため、小型化を実現することができる。
そして、揮散器８０は、用事には、図１０（ａ）に示す矢印の方向（矢印の反対方向でもよい。）に弾性体８６を取り外すことで、図１０（ｂ）に示すように、揮散体８４の折りたたまれた部分を広げることができる構造を有している。
例えば、揮散器の容器に外部から溶液を注入することができる注入孔を設けてもよい。こうすれば、用事に溶液を注入したり、または、使用とともに溶液が不足した場合に適宜溶液を注ぎ足したりすることができる。
例えば、一方の端部に底を有する円筒状のカバーを、吸液部材の外周側を覆うように設けた揮散器としてもよい。こうすれば、用事前まで吸液部材が溶液に浸されないため揮散成分が外部に揮散されてしまうことを防止することができる。また、このような構造を有する揮散器において、用事には吸液部材からカバーを外すか、または、吸液部材における鋭角状に設けられた部位でこのカバーを破断させることで吸液部材を溶液に浸漬させる構成とすることができる。
例えば、容器を花瓶の形状を有するようにしていもよい。こうすれば、花型を模った揮散体をこの容器に取り付けた場合、揮散器は実際に花が生けてあるような外観を有しているので装飾性がより一層向上する。
【００５５】
【発明の効果】
以上説明したように、本発明によれば、揮散体に模様が付与され、揮散体に供給される芳香液の状態を識別可能にしつつ、装飾性に優れた揮散器を提供できる。
【図面の簡単な説明】
【図１】本発明の第１の実施の形態の揮散器を示す全体斜視図である。
【図２】図１に示す揮散器の断面図である。
【図３】本発明の第２の実施の形態の揮散器を示す全体斜視図である。
【図４】図３に示す揮散器の断面図である。
【図５】本発明の第３の実施の形態の揮散器を示す全体斜視図である。
【図６】図５に示す揮散器の断面図である。
【図７】（ａ）タイプＡの揮散体における着色のパターンを示す説明図である。（ｂ）タイプＢの揮散体における着色のパターンを示す説明図である。（ｃ）タイプＣの揮散体における着色のパターンを示す説明図である。
【図８】ブーケ状の花を模った揮散体を備えた揮散器を示す全体斜視図である。
【図９】マーガレット状の花を模った揮散体を備えた揮散器を示す全体斜視図である。
【図１０】（ａ）本発明にかかる揮散器の変形例であって、揮散体を広げる前の状態を示す図である。（ｂ）図１０（ａ）に対応する揮散器の全体斜視図である。
【符号の説明】
１      容器
２      溶液
３      吸液部材
４      揮散体
５      花弁部
５ａ    着色部
１０      揮散器
【図１】
2004329794.tif 000005
【図２】
2004329794.tif 000006
【図３】
2004329794.tif 000007
【図４】
2004329794.tif 000008
【図５】
2004329794.tif 000009
【図６】
2004329794.tif 000010
【図７】
2004329794.tif 000011
【図８】
2004329794.tif 000012
【図９】
2004329794.tif 000013
【図１０】
2004329794.tif 000014